(57)【要約】  本発明は、折り畳み式ボックスに係り、上面及び底面の折畳部に、外側へ突出された接着羽部が形成され、別途道具がなくてもボックスを遮蔽できるようにする接着羽部を有する折り畳み式ボックスにおいて、紙または合成樹脂材で形成される一枚の板材が切開及び折り畳まれて長方形ボックスを形成する折り畳み式ボックスにおいて、前記板材の横方向の中央部で構成され、それぞれ折り畳まれて前記ボックスの側面を形成する側面部材と；前記側面部材の上方に延びて形成され、折り畳み方向に沿って切開線によって区分けされ、前記ボックスの上面を形成する上部材；そして前記側面部材の下方に延びて形成され、折り畳み方向に沿って切開線によって区分けされ、前記ボックスの下面を形成する下部材を含んで構成され；前記上部材または前記下部材のいずれか一つ以上の側面には前記ボックスの上下部を遮蔽する時、前記側面部材に付着される接着羽部が延びて形成される。このような本発明によれば、ボックスを遮蔽する時、接着羽部を利用して遮蔽するので、別途接着テープを利用せずにボックスの上／下端部の遮蔽が可能であるため、使用性が増加する効果がある。
2020516559.tif 000002
【特許請求の範囲】
【請求項１】
紙または合成樹脂材で形成される一枚の板材が切開及び折り畳まれて長方形ボックスを形成する折り畳み式ボックスにおいて、
前記板材の横方向の中央部で構成され、それぞれ折り畳まれて前記ボックスの側面を形成する側面部材と；
前記側面部材の上方に延びて形成され、折り畳み方向に沿って切開線によって区分けされ、前記ボックスの上面を形成する上部材；そして前記側面部材の下方に延びて形成され、折り畳み方向に沿って切開線によって区分けされ、前記ボックスの下面を形成する下部材を含んで構成され；
前記上部材または前記下部材のいずれか一つ以上の側面には、前記ボックスの上下部を遮蔽する時、前記側面部材に付着される接着羽部が延びて形成されることを特徴とする接着羽部を有する折り畳み式ボックス。
【請求項２】
前記側面部材は、
ボックスを折り畳む時、長辺の側面を形成するように離隔して配置される一対の長辺側面部材と；
前記長辺側面部材の側面に形成され、短辺の側面を形成する一対の短辺側面部材を含んで構成され；
前記長辺側面部材または前記短辺側面部材の一側には、
ボックスを折り畳む時、前記長辺側面部材または前記短辺側面部材の面と接して接着されるように前記短辺側面部材または前記長辺側面部材に接着される接着部が形成されることを特徴とする請求項１に記載の接着羽部を有する折り畳み式ボックス。
【請求項３】
前記上部材及び下部材は、
前記長辺側面部材の上方及び下方にそれぞれ延びて形成される長辺上部材及び長辺下部材と；
前記短辺側面部材の上方及び下方にそれぞれ延びて形成される短辺上部材及び短辺下部材を含んで構成され；
前記長辺上部材及び前記長辺下部材または前記短辺上部材及び前記短辺下部材のいずれか一つ以上には、
前記側面部材に付着される接着羽部が延びて形成されることを特徴とする請求項２に記載の接着羽部を有する折り畳み式ボックス。
【請求項４】
前記接着羽部は、
前記長辺上部材及び前記長辺下部材と接した前記短辺上部材及び前記短辺下部材から切開された切開面を利用して形成されることを特徴とする請求項３に記載の接着羽部を有する折り畳み式ボックス。
【請求項５】
前記接着羽部は、
前記ボックスの上下部面を遮蔽する時、付着面積を増加させるために、前記長辺上部材及び前記長辺下部材の結合端部から外側端部へ行くほど幅が減少する多層型構造で形成されることを特徴とする請求項４に記載の接着羽部を有する折り畳み式ボックス。
【請求項６】
前記接着羽部の内側面または前記短辺側面部材の外側面には、前記接着羽部が前記短辺側面部材に付着されるように付着力を有する接着部材が具備され；
前記接着部材は、
接着材が塗布され、前記短辺側面部材に接着される接着テープであることを特徴とする請求項５に記載の接着羽部を有する折り畳み式ボックス。
【請求項７】
前記接着羽部の内側面には、
前記接着羽部が前記短辺側面部材に付着されるように、脱着可能な接着部材が具備され；
前記側面部材には、
ボックスを折り畳む時、前記折畳羽部が面と接する地点に前記接着部材と結合する固定部材が具備され；
前記接着部材及び前記固定部材は、
鉤面またはリング面でそれぞれ構成されるベルクロテープであることを特徴とする請求項５に記載の接着羽部を有する折り畳み式ボックス。
【請求項８】
前記接着部材は、
前記接着羽部が前記短辺側面部材に固定されるように、脱着可能な接着部材が具備され；
前記側面部材には、
ボックスを折り畳む時、前記折畳羽部が面と接する地点に前記接着部材が固定される固定部材が具備され；
前記接着部材及び前記固定部材は、
結合溝が形成された雌型スナップボタンまたは結合段差が形成された雄型スナップボタンでそれぞれ構成されるスナップボタンであることを特徴とする請求項５に記載の接着羽部を有する折り畳み式ボックス。
【請求項９】
前記接着羽部は、
前記短辺上部材及び前記短辺下部材と接した前記長辺上部材及び前記長辺下部材から切開された切開面を利用して形成されることを特徴とする請求項３に記載の接着羽部を有する折り畳み式ボックス。
【請求項１０】
前記接着羽部の内側面または前記長辺側面部材の外側面には、前記接着羽部が前記長辺側面部材に付着されるように付着力を有する接着部材が具備され、
前記接着部材は、
接着材が塗布され、前記長辺側面部材に接着される接着テープであることを特徴とする請求項９に記載の接着羽部を有する折り畳み式ボックス。
【請求項１１】
前記接着羽部の内側面には、
前記接着羽部が前記長辺側面部材に付着されるように、脱着可能な接着部材が具備され；
前記長辺側面部材には、
ボックスを折り畳む時、前記折畳羽部が面と接する地点に前記接着部材と結合する固定部材が具備され；
前記接着部材及び前記固定部材は、
鉤面またはリング面でそれぞれ構成されるベルクロテープであることを特徴とする請求項９に記載の接着羽部を有する折り畳み式ボックス。
【請求項１２】
前記接着部材は、
前記接着羽部が前記短辺側面部材に固定されるように、脱着可能な接着部材が具備され；
前記長辺側面部材には、
ボックスを折り畳む時、前記折畳羽部が面と接する地点に前記接着部材が固定される固定部材が具備され；
前記接着部材及び前記固定部材は、
結合溝が形成された雌型スナップボタンまたは結合段差が形成された雄型スナップボタンでそれぞれ構成されるスナップボタンであることを特徴とする請求項９に記載の接着羽部を有する折り畳み式ボックス。
【発明の詳細な説明】
【技術分野】
【０００１】
本発明は、折り畳み式ボックスに係り、より詳しくは上面及び底面の折畳部に、外側へ突出された接着羽部が形成され、別途道具がなくてもボックスを遮蔽することができる接着羽部を有する折り畳み式ボックスに関する。
【背景技術】
【０００２】
一般に、製品及び商品を販売、流通する過程で商品が破損することを防止するために、紙材またはプラスチック材の箱を利用して商品を包装する。
【０００３】
この時、包装用箱は、図１に図示されたように、板材に一定形態で折畳線が形成され、箱を折り畳んで利用するように製作され、使用者が裁断した板材を折り畳んで箱を作った後、内部に商品を位置させ、接着テープを利用して箱を遮蔽した。
【０００４】
このような従来の方式は接着方式で、一側が接着された状態で折畳線に沿って折り畳んでボックスを組み立てるし、上端部を遮蔽するために接着テープを使わなければならない問題点があった。
【０００５】
一方、上述したような問題点を解決するために、韓国登録特許第１０−１１８５４９９号公報では、最小限の接着方式を選択し、組み立てて商品を包装し、嵌め込み方式を利用して上部を遮蔽可能な製品包装用ボックスが図示されている。
【０００６】
しかし、このような先行技術は、箱の開放面を嵌め込み方式を利用して遮蔽可能となるように構成され、反復的に開放面を開閉できるようにしたが、ボックスの積置方向によっては、内容物の荷重によってボックスの開放面が開放されるようにする方向の荷重に対して充分な遮蔽力を発揮できない問題点があった。
【０００７】
したがって、引越荷物の包装ボックスのように、積置方向が流動的な用途で使うには相応しくないという問題点があった。
【発明の概要】
【発明が解決しようとする課題】
【０００８】
本発明は、前記のような従来の問題点を解決するために案出されたもので、本発明は商品を包装する時、別途道具がなくてもボックスの上／下端部を遮蔽可能な折り畳み式ボックスを提供する。
【０００９】
また、本発明は、接した部材の一部を利用した接着羽部が形成され、板材の破紙率が減少する接着羽部を有する折り畳み式ボックスを提供する。
【課題を解決するための手段】
【００１０】
前記のような目的を達成するための本発明の特徴によれば、本発明は紙または合成樹脂材で形成される一枚の板材が切開及び折り畳まれて長方形ボックスを形成する折り畳み式ボックスにおいて、前記板材の横方向の中央部で構成され、それぞれ折り畳まれて前記ボックスの側面を形成する側面部材と；前記側面部材の上方に延びて形成され、折り畳み方向に沿って切開線によって区分けされ、前記ボックスの上面を形成する上部材；そして前記側面部材の下方に延びて形成され、折り畳み方向に沿って切開線によって区分けされ、前記ボックスの下面を形成する下部材を含んで構成され；前記上部材または前記下部材のいずれか一つ以上の側面には前記ボックスの上下部を遮蔽する時、前記側面部材に付着される接着羽部が延びて形成される。
【００１１】
前記側面部材は、ボックスを折り畳む時、長辺の側面を形成するように離隔して配置される一対の長辺側面部材と；前記長辺側面部材の側面に形成され、短辺の側面を形成する一対の短辺側面部材を含んで構成され；前記長辺側面部材または前記短辺側面部材の一側には、ボックスを折り畳む時、前記長辺側面部材または前記短辺側面部材の面と接して接着されるように前記短辺側面部材または前記長辺側面部材に接着される接着部が形成される。
【００１２】
前記上部材及び下部材は、前記長辺側面部材の上方及び下方にそれぞれ延びて形成される長辺上部材及び長辺下部材と；前記短辺側面部材の上方及び下方にそれぞれ延びて形成される短辺上部材及び短辺下部材を含んで構成され；前記長辺上部材及び前記長辺下部材、または前記短辺上部材及び前記短辺下部材のいずれか一つ以上には前記側面部材に付着される接着羽部が延びて形成される。
【００１３】
前記接着羽部は、前記長辺上部材及び前記長辺下部材と接した前記短辺上部材及び前記短辺下部材から切開された切開面を利用して形成される。
【００１４】
前記接着羽部の延びた長さは、前記上部材及び前記下部材の幅の半分以下である。
【００１５】
前記接着羽部は、前記ボックスの上下部面を遮蔽する時、付着面積を増加させるために、前記長辺上部材及び前記長辺下部材の結合端部から外側端部へ行くほど幅が減少する多層型構造で形成される。
【００１６】
前記接着羽部は、前記ボックスの上下部面を遮蔽する時、付着端部が一つの地点に集めるように前記長辺上部材及び前記長辺下部材の結合端部から外側端部へ行くほど幅が減少する斜線形態で形成される。
【００１７】
前記接着羽部の内側面または前記短辺側面部材の外側面には、前記接着羽部が前記短辺側面部材に付着されるように付着力を有する接着部材が具備され；前記接着部材は接着材が塗布され、前記短辺側面部材に接着される接着テープである。
【００１８】
前記接着羽部の内側面には、前記接着羽部が前記短辺側面部材に付着されるように脱着可能な接着部材が具備され；前記側面部材には、ボックスを折り畳む時に前記折畳羽部が面と接する地点に前記接着部材と結合する固定部材が具備され；前記接着部材及び前記固定部材は鉤面またはリング面でそれぞれ構成されるベルクロ（登録商標）テープである。
【００１９】
前記接着部材は、前記接着羽部が前記短辺側面部材に固定されるよう、脱着可能な接着部材が具備され；前記側面部材には、ボックスを折り畳む時、前記折畳羽部が面と接する地点に前記接着部材が固定される固定部材が具備され；前記接着部材及び前記固定部材は結合溝が形成された雌型スナップボタンまたは結合段差が形成された雄型スナップボタンでそれぞれ構成されるスナップボタンである。
【００２０】
前記接着羽部は、前記短辺上部材及び前記短辺下部材と接した前記長辺上部材及び前記長辺下部材から切開された切開面を利用して形成される。
【００２１】
前記接着羽部の延びた長さは、前記短辺上部材及び前記短辺下部材の高さ以下である。
【００２２】
前記接着羽部の内側面または前記短辺側面部材の外側面には、前記接着羽部が前記長辺側面部材に付着されるように付着力を有する接着部材が具備され、前記接着部材は接着材が塗布されて前記長辺側面部材に接着される接着テープである。
【００２３】
前記接着羽部の内側面には、前記接着羽部が前記長辺側面部材に付着されるように脱着可能な接着部材が具備され；前記長辺側面部材には、ボックスを折り畳む時、前記折畳羽部が面と接する地点に前記接着部材と結合する固定部材が具備され；前記接着部材及び前記固定部材は、鉤面またはリング面でそれぞれ構成されるベルクロテープである。
【００２４】
前記接着部材は、前記接着羽部が前記短辺側面部材に固定されるように脱着可能な接着部材が具備され；前記長辺側面部材にはボックスを折り畳む時、前記折畳羽部が面と接する地点に前記接着部材が固定される固定部材が具備され；前記接着部材及び前記固定部材は、結合溝が形成された雌型スナップボタンまたは結合段差が形成された雄型スナップボタンでそれぞれ構成されるスナップボタンである。
【００２５】
前記接着羽部が延びて形成される前記長辺上部材及び前記長辺下部材、または前記短辺上部材及び前記短辺下部材には前記接着羽部が面と接する位置に前記固定部材が具備される。
【発明の効果】
【００２６】
前記検討したような本発明の具体的な実施例による接着羽部を有する折り畳み式ボックスは、次のような効果を期待することができる。
【００２７】
つまり、本発明はボックスを遮蔽する時、接着羽部を利用して遮蔽するので、別途接着テープを利用せずにボックスの上／下端部の遮蔽が可能であるため、使用性が増加する効果がある。
【００２８】
また、本発明は、接した部材の一部を利用した接着羽部が形成され、板材の破紙率が減少する効果がある。
【図面の簡単な説明】
【００２９】
【図１】従来のボックスを図示した例示図。
【図２】本発明の具体的な実施例による接着羽部を有する折り畳み式ボックスを図示した展開図。
【図３】本発明の具体的な実施例による接着羽部を有する折り畳み式ボックスを折り畳む状態を図示した斜視図。
【図４】本発明の具体的な実施例による接着羽部を有する折り畳み式ボックスの上下端部の遮蔽状態を図示した斜視図。
【図５】本発明の具体的な実施例による接着羽部を有する折り畳み式ボックスの接着羽部の構造を図示した例示図。
【図６】本発明の具体的な実施例による接着羽部を有する折り畳み式ボックスで接着羽部の長さが最大限に延びた例を図示した斜視図。
【図７】本発明の具体的な実施例による接着羽部を有する折り畳み式ボックスが積載された状態で前記接着羽部が折り畳まれた例を図示した例示図。
【図８】本発明の別の実施例による接着羽部を有する折り畳み式ボックスを図示した例示図。
【図９】本発明のまた別の実施例による接着羽部を有する折り畳み式ボックスを図示した例示図。
【発明を実施するための形態】
【００３０】
本発明は、紙または合成樹脂材で形成される一枚の板材が切開及び折り畳まれて長方形ボックスを形成する折り畳み式ボックスにおいて、前記板材の横方向の中央部で構成され、それぞれ折り畳まれて前記ボックスの側面を形成する側面部材と；前記側面部材の上方に延びて形成され、折り畳み方向に沿って切開線によって区分けされ、前記ボックスの上面を形成する上部材；そして前記側面部材の下方に延びて形成され、折り畳み方向に沿って切開線によって区分けされ、前記ボックスの下面を形成する下部材を含んで構成され；前記上部材または前記下部材のいずれか一つ以上の側面には、前記ボックスの上下部を遮蔽する時、前記側面部材に付着される接着羽部が延びて形成され：前記側面部材は、ボックスを折り畳む時、長辺の側面を形成するように離隔して配置される一対の長辺側面部材と；前記長辺側面部材の側面に形成され、短辺の側面を形成する一対の短辺側面部材を含んで構成され；前記長辺側面部材または前記短辺側面部材の一側には、ボックスを折り畳む時、前記長辺側面部材または前記短辺側面部材の面と接して接着されるように前記短辺側面部材または前記長辺側面部材に接着される接着部が形成され；前記上部材及び下部材は、前記長辺側面部材の上方及び下方にそれぞれ延びて形成される長辺上部材及び長辺下部材と；前記短辺側面部材の上方及び下方にそれぞれ延びて形成される短辺上部材及び短辺下部材を含んで構成され；前記長辺上部材及び前記長辺下部材、または前記短辺上部材及び前記短辺下部材のいずれか一つ以上には、前記側面部材に付着される接着羽部が延びて形成されるように構成されることが好ましい。
【００３１】
以下では、添付の図面を参照して本発明の具体的な実施例による構成を詳察する。
【００３２】
図２は本発明の具体的な実施例による接着羽部を有する折り畳み式ボックスを図示した展開図で、図３は本発明の具体的な実施例による接着羽部を有する折り畳み式ボックスを折り畳む状態を図示した例示図で、図４は本発明の具体的な実施例による接着羽部を有する折り畳み式ボックスの上下端部の遮蔽状態を図示した例示図で、図５は本発明の具体的な実施例による接着羽部を有する折り畳み式ボックスの接着羽部の構造を図示した例示図で、図６は本発明の具体的な実施例による接着羽部を有する折り畳み式ボックスから接着羽部の長さが最大限に延びた例を図示した斜視図で、図７は本発明の具体的な実施例による接着羽部を有する折り畳み式ボックスが積載された状態で前記接着羽部が折り畳まれた例を図示した例示図である。
【００３３】
先ず、本発明の具体的な実施例による接着羽部を有する折り畳み式ボックスは、紙またはプラスチック板材で形成される。
【００３４】
ここで、前記折り畳み式ボックスは、一枚の板材が切開及び折り畳まれて形成される。
【００３５】
このような本発明の具体的な実施例による接着羽部を有する折り畳み式ボックスは、図２に図示されたように、側面部材１００と上部材２００、そして下部材３００を含んで構成される。
【００３６】
ここで、前記側面部材１００は前記板材の横方向の中央部を構成してそれぞれ折り畳まれて前記ボックスの側面を形成する。
【００３７】
この時、前記側面部材１００は、ボックスを折り畳む時、長辺の側面を形成するように離隔して配置される一対の長辺側面部材１１０と、前記長辺側面部材１１０の側面に形成されて短辺の側面を形成する一対の短辺側面部材１３０を含んで構成される。
【００３８】
そして、前記上部材２００は前記側面部材１００の上方に延びて折り畳み方向に沿って切開線によって区分けされる。
【００３９】
この時、前記上部材２００は前記長辺側面部材１１０の上方に延びて形成される長辺上部材２１０と、前記短辺側面部材１３０の上方に延びて形成される短辺上部材２３０を含んで構成される。
【００４０】
これによって、前記上部材２００は前記ボックスを折畳線に沿って折り畳む時、前記ボックスの上面を形成する。
【００４１】
そして、前記下部材３００は、前記側面部材１００の下方に延びて折り畳み方向に沿って切開線によって区分けされる。
【００４２】
この時、前記下部材３００は前記断面側面部材の下方に延びて形成される短辺下部材３３０と、前記短辺側面部材１３０の上方に延びて形成される短辺下部材３３０を含んで構成される。
【００４３】
これによって、前記下部材３００は前記ボックスを折畳線に沿って折り畳む時、前記ボックスの底面を形成する。
【００４４】
この時、前記側面部材１００の一側には、ボックスを折り畳む時、側面部材１００の一側端部と折り畳まれた他側端部の面が接して固定するように延びた接着部１５０が形成される。
【００４５】
一方、本発明の具体的な実施例による折り畳み式ボックスを説明するに当たり、図３に図示されたように、板材を折り畳んでボックスを遮蔽する場合を例えて説明する。
【００４６】
先ず、前述したように、前記ボックスを遮蔽するために、前記上部材２００及び前記下部材３００を折り畳んで前記ボックスを遮蔽する。
【００４７】
この時、前記短辺上部材２３０及び前記短辺下部材３３０はボックスの内側に位置するように折り畳まれ、前記長辺上部材２１０及び長辺下部材３１０はボックスの外側に位置するように折り畳まれる。
【００４８】
また、前記長辺上部材２１０及び前記長辺下部材３１０がボックスの内側に位置するように折り畳まれ、前記短辺上部材２３０及び前記短辺下部材３３０がボックスの外側に位置するように折り畳まれることもある。
【００４９】
一方、本発明では、ボックスの上下部を遮蔽するための構成として、前記長辺上部材２１０及び前記長辺下部材３１０のいずれか一つ以上には前記接着羽部２１１がさらに含まれる。
【００５０】
以下では、ボックスを遮蔽するための構成について詳しく説明する。
【００５１】
ここで、前記接着羽部の形成位置によって上部材及び下部材の折畳位置が変更されるところ、以下では、前記短辺上部材２３０及び前記短辺下部材３３０はボックスの内側に位置するように折り畳まれ、前記長辺上部材２１０及び長辺下部材３１０はボックスの外側に位置するように折り畳まれ、ボックスを遮蔽する場合を例えて説明する。
【００５２】
先ず、前記接着羽部２１１は、前記長辺上部材２１０及び長辺下部材３１０の結合端部から折り畳まれ、前記側面部材１００に付着されるように前記長辺上部材２１０及び長辺下部材３１０の外側に延びて形成される。
【００５３】
ここで、前記接着羽部２１１は、図４に図示されたように、前記長辺上部材２１０及び長辺下部材３１０の両側に延びて形成され、接した短辺上部材２３０及び短辺下部材３３０から切開された切開面を利用して形成される。
【００５４】
この時、前記接着羽部２１１は、前記長辺上部材２１０及び長辺下部材３１０と、前記短辺上部材２３０及び前記短辺下部材３３０の側面に形成されて切開面によって形成される。
【００５５】
すなわち、前記接着羽部２１１は、前記長辺上部材２１０及び長辺下部材３１０と、前記短辺上部材２３０及び前記短辺下部材３３０との間で切開面の切り取り形態と対応するように形成される。
【００５６】
この時、前記短辺上部材２３０及び短辺下部材３３０の両側には、前記接着羽部２１１が位置するように、前記接着羽部２１１の外郭形態と対応して陷沒された形態の切開部が形成される。
【００５７】
すなわち、本発明では、ボックスを製作する時に前記接着羽部を製作するにあたって、遮蔽する時に内側に位置して機能上不要な板材部分で前記接着羽部が形成されるように構成され、板材利用面積の効率が増加するので、破紙率が減少する効果がある。
【００５８】
一方、前記接着羽部２１１は前述したように、接した短辺上部材２３０または短辺下部材３３０の一部面積を利用して形成される。
【００５９】
これによって、本発明では追加板材を利用せずとも、最大限の支持力を発揮するためには、前記接着羽部２１１の延びた長さが限定されることがある。
【００６０】
すなわち、本発明で前記接着羽部２１１の延びた長さｌは、図５に図示されたように、接した短辺上部材２３０及び短辺下部材３３０の一部面積を利用して形成される。これによって、前記短辺上部材２３０及び前記短辺下部材３３０の幅Ｌの半分以下で対称的に形成されることが好ましい。
【００６１】
一方、前記接着羽部２１１は図６に図示されたように、正方形ボックスである場合、前記接着羽部２１１の長さが最大限に延長して上部材２００に形成される接着羽部２１１と、下部材３００に形成される前記接着羽部２１１の端が会うように形成されてもよい。
【００６２】
この時、前記接着羽部２１１が正方形のボックスである場合、前記長辺上部材２１０及び前記長辺下部材３１０の外側に延びて形成されるだけでなく、前記短辺上部材２３０及び前記短辺上部材２３０の外側に延びて形成されてもよい。
【００６３】
これによって、前記接着羽部２１１が前記長辺上部材２１０及び前記長辺下部材３１０及び前記短辺下部材３３０、そして前記短辺下部材３３０のいずれか一つ以上に形成されて前記ボックスを遮蔽することができる。
【００６４】
すなわち、前記接着羽部２１１が正方形のボックスである場合、長辺と短辺を区分けすることなく、上部材２００及び下部材３００のいずれか一つ以上に形成されるので、ボックスを効果的に遮蔽することができる。
【００６５】
この時、前記接着羽部２１１は接着テープのような別途接着手段を利用して付着させてもよい。
【００６６】
一方、前記ボックスを折り畳んで開放面を遮蔽する時、前記接着羽部２１１は前記側面部材１００に固定されて前記上部材２００及び下部材３００が開閉されないように構成されてもよい。
【００６７】
このために前記接着羽部２１１の内側面には、前記上部材２００及び下部材３００が開閉されないように固定する接着部材が具備される。
【００６８】
また、前記接着部材は、前記接着羽部２１１が折り畳んで位置する側辺部材側に具備されてもよい。
【００６９】
以下では、上述したようなボックスを遮蔽するための前記接着羽部及び前記接着部材に対する構成と、様々な実施例をより詳しく説明する。
【００７０】
ここで、前記接着部材は前述したように、前記接着羽部２１１が前記側面部材１００に付着され、前記上部材２００及び前記下部材３００が開閉されないようにするため、接着方式、ベルクロ方式、スナップボタン方式のいずれか一つの方式が利用されてもよい。
【００７１】
先ず、前記接着部材が接着方式で適用された例を挙げて説明する。
【００７２】
ここで、前記接着部材は、接着方式が利用される場合、前記接着羽部２１１が側面部材１００に面と接して付着されるよう、接着材が塗布されて接着力を有する接着テープが利用されてもよい。
【００７３】
これによって、本発明によるボックスの遮蔽のために接着方式の接着部材を利用した実施例では、前記接着羽部２１１を前記接着テープを利用して前記側面部材１００に接着してボックスが遮蔽されるようにする。
【００７４】
一方、前記接着部材が接着方式の前記接着テープが利用される場合、充分な固定力を発揮するために接着材が使われるが、これは再使用が難しいという短所がある。
【００７５】
これによって、前記接着方式の接着部材が複数重なって形成され、複数回にわたって脱着できるように構成されてもよい。
【００７６】
一方、ボックスを遮蔽するための別の実施例では、脱着できるように構成されてもよい。
【００７７】
次に、前記接着部材の固定方式でベルクロ方式が適用された例を挙げて説明する。
【００７８】
ここで、前記接着部材は、ベルクロ方式が利用される場合、前記接着羽部２１１が前記側面部材１００に固定されるように、鉤面またはリング面で形成されるベルクロテープが利用されてもよい。
【００７９】
この時、前記接着羽部２１１には前記ベルクロテープの中で前記鉤面が具備され、前記接着羽部２１１が折り畳まれて前記側面部材１００の面と接する位置には前記鉤面と接して縫合力が発生する前記リング面が具備される。
【００８０】
また、前記接着羽部２１１には前記ベルクロテープの中で前記リング面が具備され、前記接着羽部２１１が折り畳まれて前記側面部材１００の面と接する位置には前記リング面と接して縫合力が発生する前記鉤面が具備されてもよい。
【００８１】
これによって、ボックスの上部面を遮蔽するための別の実施例では、前記ベルクロテープの前記鉤面と前記リング面の面が接して発生する縫合力を利用して前記接着羽部２１１が前記側面部に接着され、ボックスの開放面が遮蔽されるようにする。
【００８２】
したがって、ボックスの上部面を遮蔽するための別の実施例による前記接着羽部２１１は、前記ベルクロ方式の前記接着部材が利用されることによって、前記鉤面と前記リング面の縫合力によって前記側面部材１００から脱着可能であるため、ボックスの再使用が可能な効果がある。
【００８３】
最後に、前記接着部材の固定方式でスナップボタン方式が適用された例を挙げて説明する。
【００８４】
ここで、前記接着部材は、スナップボタン方式が利用される場合、前記接着羽部２１１が前記側面部材１００に固定されるように、雌型スナップボタンまたは雄型スナップボタンで形成されるスナップボタンが利用されてもよい。
【００８５】
この時、前記スナップボタンは前記雌型スナップボタンと前記雄型スナップボタンの結合によって固定される。
【００８６】
ここで、前記接着羽部２１１には前記スナップボタンの中で前記雌型スナップボタンが具備され、前記接着羽部２１１が折り畳まれて前記側面部材１００の面と接する位置には前記雌型スナップボタンと結合される前記雄型スナップボタンが具備される。
【００８７】
また、前記接着羽部２１１には前記スナップボタンの中で前記雄型スナップボタンが具備され、前記接着羽部２１１が折り畳まれて前記側面部材１００の面と接する位置には前記雄型スナップボタンと結合される前記雌型スナップボタンが具備されてもよい。
【００８８】
これによって、ボックス開閉部を遮蔽するためのまた別の実施例では、前記雌型スナップボタンと前記雄型スナップボタンの結合力を利用して前記接着羽部２１１が前記側面部に接着してボックスの開閉部が遮蔽されるようにする。
【００８９】
したがって、ボックス開閉部を遮蔽するためのまた別の実施例による前記接着羽部２１１は、前記スナップボタン方式の前記接着部材が利用されることによって、前記雌型スナップボタンと前記雄型スナップボタンの結合力によって前記側面部材１００から脱着可能であるため、ボックスの再使用が可能な効果がある。
【００９０】
（接着羽部の折畳）
一方、前記接着羽部を有する折り畳み式ボックスを流通するために積載された状態で保管する場合、前記接着羽部２１１が延長されて外側に突出する問題点が発生されることがある。
【００９１】
このために、本発明では、前記接着羽部２１１が折り畳まれた状態で積載できるように構成されてもよい。
【００９２】
以下では、添付の図面を参照して前記接着羽部２１１が折り畳まれた状態で積載可能とする構成について説明する。
【００９３】
図７は本発明の具体的な実施例による接着羽部を有する折り畳み式ボックスが積載された状態で前記接着羽部が折り畳まれた例を図示した例示図である。
【００９４】
ここで、本発明の具体的な実施例による接着羽部を有する折り畳み式ボックスは、図７に図示されたように、前記折り畳み式ボックスを積載するために、前記側面部材１００の一側に形成された接着部を前記側面部材１００の他側の面と接して折り畳んだ場合、前記接着羽部２１１が突出されることがある。
【００９５】
このために、前記接着羽部２１１が形成された前記長辺上部材２１０及び前記長辺下部材３１０の内側面には、前記接着部材が具備された前記接着羽部２１１が折り畳んで固定されるように、前記接着羽部２１１を支持する固定部材が具備されてもよい。
【００９６】
例えば、前述したように、前記接着羽部に前記接着部材がベルクロ方式で適用された場合、前記接着羽部２１１が折り畳んで面と接する位置に互いに縫合力が発生するよう、前記接着羽部２１１には上述したように前記鉤面が付着され、前記接着羽部２１１の面が接して位置される前記長辺上部材２１０または前記長辺下部材３１０には前記リング面が付着される。
【００９７】
また、前記リング面が前記接着羽部２１１に付着された場合、前記鉤面が前記接着羽部２１１に付着されてもよい。
【００９８】
これによって、前記接着羽部２１１はボックスを積載する時、前記長辺上部材２１０または前記長辺下部材３１０の面に接して固定される。
【００９９】
一方、前記接着羽部２１１を前記長辺上部材２１０または前記長辺下部材３１０の内側に固定するにあたり、前記接着部材は上述したようにボタン方式が利用されてもよい。
【０１００】
これによって、前記接着羽部２１１はボックスを積載する時、前記接着羽部２１１が折り畳まれた状態を維持し、前記接着羽部２１１が破損されることを防止し、突出部がなくても長方形で維持することができるので、ボックスの積載による空間を効率的に活用できる効果がある。
【０１０１】
一方、上述したような前記接着羽部は、多様な形態で形成されることができる。
【０１０２】
以下では、本発明による接着羽部を有する折り畳み式ボックスにおいて、前記接着羽部の様々な形態が適用された実施例について説明する。
【０１０３】
図８は本発明の別の実施例による接着羽部を有する折り畳み式ボックスを図示した例示図で、図９は本発明のまた別の実施例による接着羽部を有する折り畳み式ボックスを図示した例示図である。
【０１０４】
先ず、本発明の別の実施例による接着羽部を有する折り畳み式ボックスでは、前記接着羽部２１１の結合力が向上されるように構成されてもよい。
【０１０５】
このために、前記接着羽部２１１は図８に図示されたように、前記長辺上部材２１０及び前記長辺下部材３１０から延長され、端部へ行くほど幅が狭くなる多層型で形成されてもよい。
【０１０６】
これによって、本発明の別の実施例による接着羽部２１１を有する折り畳み式ボックスは、前記接着羽部２１１の結合面積を増加させ、前記接着羽部２１１の結合面積の増加による結合力の向上される効果がある。
【０１０７】
一方、本発明の別の実施例による接着羽部を有する折り畳み式ボックスでは、接着羽部２１１の結合力が向上され、脱着し易いように構成されてもよい。
【０１０８】
このために、前記接着羽部２１１は図９に図示されたように、付着端部が一つの地点に集めるよう、前記長辺上部材２１０及び前記長辺下部材３１０から端部へ行くほど幅が細くなる斜線形態で形成されてもよい。
【０１０９】
ここで、前記接着羽部の延長される内側が負担する荷重負担を増加させるために、同一面積で延長される内側がより多い面積を割り当てられるようにして結合力を向上させる。
【０１１０】
このために、前記接着羽部が折り畳まれて接着が始まる接着スタート部分は接着面積を最大化し、脱着スタート部分の接着面積は最小化して、脱着し易いようにする。
【０１１１】
すなわち、前記ボックスを遮蔽する時、結合端部に対する付着力は向上させながら、開閉時には開閉端部の付着力が減少する。
【０１１２】
これによって、本発明のまた別の実施例による接着羽部２１１を有する折り畳み式ボックスは、前記接着羽部２１１の結合力が維持されながら、脱着時に容易に脱着可能な効果がある。
【０１１３】
一方、本発明の権利は、以上の実施例に限定されず、請求範囲に記載されたことにによって定義され、本発明の分野における通常の知識を有する者が請求範囲に記載された権利範囲内で様々な変形と改作ができるということは自明である。
【産業上の利用可能性】
【０１１４】
本発明は、折り畳み式ボックスに係り、より詳しくは、上面及び底面の折畳部に、外側へ突出された接着羽部が形成され、別途道具がなくてもボックスを遮蔽できるようにする接着羽部を有する折り畳み式ボックスに関するものであって、このような本発明によれば、本発明はボックスを遮蔽する時、接着羽部を利用して遮蔽するので、別途接着テープを利用せずともボックスの上／下端部の遮蔽が可能であるため、使用性が増加する効果がある。
【図１】
2020516559.tif 000003
【図２】
2020516559.tif 000004
【図３】
2020516559.tif 000005
【図４】
2020516559.tif 000006
【図５】
2020516559.tif 000007
【図６】
2020516559.tif 000008
【図７】
2020516559.tif 000009
【図８】
2020516559.tif 000010
【図９】
2020516559.tif 000011
【国際調査報告】
2020516559.tif 000012
2020516559.tif 000013
2020516559.tif 000014
2020516559.tif 000015